(57)【特許請求の範囲】
【請求項１】
基準白板を読み取ってシェーディングデータを作成して原稿画像データをシェーディング補正するとともに、原稿の地肌を除去する画像処理装置において、
基準白板と原稿を読み取る読取手段と、
前記読取手段により読み取られた信号のレベルを可変利得で増幅する増幅手段と、
前記増幅手段の出力信号を基準電圧に基づいてＡ／Ｄ変換するＡ／Ｄ変換手段と、
前記増幅手段の出力信号のピーク値を検出するとともに、前記基準白板のピーク値検出時には時定数を短くし、前記原稿の地肌のピーク値検出時には時定数を長くして検出するピーク検出手段と、
前記読取手段が基準白板と原稿の地肌を読み取る時に前記ピーク検出手段により検出されたピーク値を前記基準電圧として前記Ａ／Ｄ変換手段に印加する手段と、
前記Ａ／Ｄ変換手段により変換された値に基づいて黒オフセットレベル値を検知する黒レベル検知手段と、
地肌データのノイズ分を抑制するようにあらかじめ定められた値を出力するノイズ抑制手段と、
前記Ａ／Ｄ変換手段の出力に対して前記黒レベル検知手段の出力及び前記ノイズ抑制手段の出力を加減算することにより前記Ａ／Ｄ変換手段の出力を補正する補正手段と、
前記読取手段が基準白板と原稿の地肌を読み取る時に前記補正手段の出力が所定値になるように前記増幅手段の可変利得を制御する利得制御手段と
を備えたことを特徴とする画像処理装置。
【請求項２】
前記補正手段は基準白板を読み取る時に、Ａ／Ｄ変換手段の出力から前記黒レベル検知手段の出力と前記ノイズ抑制手段の出力を減算することにより前記シェ−ディングデ−タを作成することを特徴とする請求項１記載の画像処理装置。
【請求項３】
前記補正手段は原稿の地肌を読み取る時に、前記Ａ／Ｄ変換手段の出力から前記黒レベル検知手段の出力を減算し、前記ノイズ抑制手段の出力を加算することを特徴とする請求項１又は２記載の画像処理装置。
【発明の詳細な説明】
【０００１】
【産業上の利用分野】
本発明は、電子写真複写機、スキャナー、ファックス等の画像処理装置に関し、特にデジタル的に処理する画像処理装置の地肌除去機能に関するものである。
【０００２】
【従来の技術】
従来の、地肌除去機能を有した画像処理装置であって、原稿画像データをデジタル的に処理する画像処理装置において、地肌除去機能を働かせる場合には、基準白板の読み取り値と、あらかじめ定められた値とを比較してシェーディングデータを生成し、原稿の地肌部読み取りデータと一致させるように地肌濃度検出部の利得を調整していた。その際、地肌濃度検出時の地肌データにノイズが重畳してもその影響を受けないように、ノイズ分を吸収し得る程度に地肌濃度検出部の利得を大きく調整していた。
【０００３】
【発明が解決しようとする課題】
しかしながら、従来のように地肌濃度検出部の増幅器の利得を調整する方法では、個々の装置毎に調整するのが面倒であり、しかも調整後の部品の経年変化等によって増幅器の利得が変動する虞もあって、高品質の画像を長期間に亙って維持することができなかった。また、シェーディングデータを上記地肌濃度検出部と同一回路を使って生成するように構成すれば、利得調整用に用いているボリュウム等の可変手段を省略することが出来るが、この方法では地肌濃度検出部の利得をノイズ分を吸収するように調整出来なくなるため、地肌検出部の画像データにはノイズ分がデータとして出力されてしまい、高精度な地肌飛ばしが不可能になると云う不具合を生じていた。
【０００４】
【発明の目的】
本発明は上述したような従来の画像処理装置における問題点を解決するためになされたものであって、地肌濃度検出部の増幅器の利得調整の面倒さを除去し、しかも、経年変化による地肌濃度検出時のノイズ分の影響をなくし高精度な地肌飛ばしが可能な画像処理装置を提供することを目的としている。
【０００５】
【課題を解決するための手段】
請求項１の発明は上記目的を達成するために、基準白板を読み取ってシェーディングデータを作成して原稿画像データをシェーディング補正するとともに、原稿の地肌を除去する画像処理装置において、基準白板と原稿を読み取る読取手段と、前記読取手段により読み取られた信号のレベルを可変利得で増幅する増幅手段と、前記増幅手段の出力信号を基準電圧に基づいてＡ／Ｄ変換するＡ／Ｄ変換手段と、前記増幅手段の出力信号のピーク値を検出するとともに、前記基準白板のピーク値検出時には時定数を短くし、前記原稿の地肌のピーク値検出時には時定数を長くして検出するピーク検出手段と、前記読取手段が基準白板と原稿の地肌を読み取る時に前記ピーク検出手段により検出されたピーク値を前記基準電圧として前記Ａ／Ｄ変換手段に印加する手段と、前記Ａ／Ｄ変換手段により変換された値に基づいて黒オフセットレベル値を検知する黒レベル検知手段と、地肌データのノイズ分を抑制するようにあらかじめ定められた値を出力するノイズ抑制手段と、前記Ａ／Ｄ変換手段の出力に対して前記黒レベル検知手段の出力及び前記ノイズ抑制手段の出力を加減算することにより前記Ａ／Ｄ変換手段の出力を補正する補正手段と、前記読取手段が基準白板と原稿の地肌を読み取る時に前記補正手段の出力が所定値になるように前記増幅手段の可変利得を制御する利得制御手段とを備えたことを特徴とする。
請求項２の発明は、請求項１記載の画像処理装置において、前記補正手段は基準白板を読み取る時に、Ａ／Ｄ変換手段の出力から前記黒レベル検知手段の出力と前記ノイズ抑制手段の出力を減算することにより前記シェ−ディングデ−タを作成することを特徴とする。
請求項３の発明は、請求項１又は２記載の画像処理装置において、前記補正手段は原稿の地肌を読み取る時に、前記Ａ／Ｄ変換手段の出力から前記黒レベル検知手段の出力を減算し、前記ノイズ抑制手段の出力を加算することを特徴とする。
【０００６】
【作用】
本発明によれば、基準白板を読んでシェーディングデータを生成する際も地肌濃度を検出する際にもそのピーク値を基準電圧としてＡ／Ｄ変換手段に印加し、Ａ／Ｄ出力の補正手段の出力が所定値になるように、読取手段により読み取られた信号のレベルを増幅する増幅手段の可変利得を制御するので、地肌濃度検出部の増幅器の利得調整の面倒さを除去することができ、また、Ａ／Ｄ変換手段の出力から黒オフセットレベル値と地肌データのノイズ分を抑制する値を加減算するので、地肌濃度検出時にノイズがあってもその影響を除去することができる。
【０００７】
また、基準白板を読み取る時にＡ／Ｄ変換手段の出力から黒レベル検知手段の出力とノイズ抑制手段の出力を減算することによりシェ−ディングデ−タを作成するので、シェーディングデータ値からノイズ分に相当する値を前以て減算することによって、地肌検出時のデータにノイズ分が含まれていても、その影響を受けることなく地肌を正しく検出可能となる。
【０００８】
また、原稿の地肌を読み取る時にＡ／Ｄ変換手段の出力から黒レベル検知手段の出力を減算し、ノイズ抑制手段の出力を加算するので、地肌検出時のデータにノイズ分が重畳し出力が減少しても、地肌濃度検出時の地肌データ値はノイズ分の影響を受けることはない。
【０００９】
【実施例】
以下、図示した実施例に基づいて本発明を詳細に説明する。ここに示す実施例では、画像処理装置として代表的な電子写真複写機（以下、複写機と記す）のスキャナー部を例に説明するが、本発明はこの例に限らず他の画像処理装置にも同様に適用可能である。図２は、本発明を適用した複写機のスキャナー部を示す側面構成図である。同図に示すスキャナーは、原稿を載置するコンタクトガラス２１と、その上に載置された原稿２２と、基準白板２３と、主走査方向スケール２４と、光源２５、第一ミラー２６、第二ミラー２７、第三ミラー２８とからなる光学系と、レンズ２９と、ＣＣＤ等の読取り手段１とを備えたものである。
【００１０】
この構成において、動作を簡単に説明すれば、コンタクトガラス２１上に置かれた原稿２２が読み取られる前に、光源２５の光源自身によるバラツキや、温度、経時変化によるバラツキを補正したり、光源２５やＣＣＤ等の読み取り素子１ａの主走査方向（図面に対し垂直方向）１ラインのバラツキを補正する。そのために、光源２５、第一ミラー２６、第二ミラー２７、第三ミラー２８からなる光学系を最右端の主走査方向スケール２４付近に位置するホームポジッション（図中にＨ・Ｐで指示）に移し、そこからあらかじめ定められた速度で左方向（副走査方向）に移動させ、基準白板２３上に光学系が位置したときに基準白板２３上の主走査方向１ラインを光源２５で照射すると共に、反射光を第一ミラー２６、第二ミラー２７、第三ミラー２８でレンズ２９に導き、読み取り素子１ａによって読み取る。その際、先ず光源２５の光源自身によるバラツキや、温度、経時変化によるバラツキを補正するために、読み取り出力のピーク値があらかじめ定められている目標値になるように読取手段１の中のＧＣＡ増幅器１Ｃの利得を調整するようになっている（図１参照）。
【００１１】
図３はコンタクトガラス２１上に置かれた原稿２２を上方から見た図で、原稿２２は主走査方向スケール２４と副走査方向スケール３０に、原稿２２の直交する２辺が当接するように置かれている。この例では原稿２２上の斜線範囲２２ａが地肌を検知する部分に当る。主走査方向スケール２４の下部であってコンタクトガラス２１に隣接する部分には上述したように基準白板２３が配置されている。
【００１２】
図４は原稿読取りデ−タの出力例を示す図であり、基準白板２３上の主走査方向１ラインの読み取り出力を曲線ｆ１で示し、読み取り出力のピーク値Ｖｐ１（Ｐ１点の出力値）が目標設定値Ｖｐ０になるように（Ｐ１点がＰ０点に移動するように）利得を変化させる補正を行った結果を曲線ｆ２にて示している。
【００１３】
上記の補正が終了すると、基準白板２３上の主走査方向１ラインの読み取りからシェーディングデータ生成を行う。即ち、図５は基準白板の読取り方法を説明する図であり、同図に示したようにピーク値補正後の出力曲線ｆ２を、読み取リ画素毎にサンプリングして、出力値（ｂ１、ｂ２、ｂ３〜ｂｎ）を記憶し、シェーディングデータとする。
【００１４】
次に、図２に示す光学系が副走査方向に移動して原稿２２の先端に位置すると、原稿２２の読み取りを開始し、原稿画像の読み取りデータが、先に読まれているシェーディングデータにより補正（シェーディング補正）されて、次の画像処理部に送られる。その際、地肌除去を行う場合には、図６に示すように原稿の地肌部についても原稿画像の読み取り画素データのピーク値を検知する。上記のピーク値補正後のシェーディングデータｆ２のピーク値Ｖｐ０をａとし、それに対する固定の比較基準値Ｖref0のｂ値を図のように設定する。また、原稿画像の実際の読み取りデータの出力曲線ｆ３（読取手段１出力）のピーク値の位置Ｐ２点の値が、ピーク値Ｖｐ２（＝ａ´）であるとき、ピーク検出手段２を通過すると、上述したように利得補正される結果、出力曲線ｆ３のＰ２点で取る値はＶrefAE となる。この波高値電圧 をｂ´とすると、従来は次式にて示される値になるようにピーク増幅器２ｂの利得を調整していた。
ａ´÷ｂ´＝ａ÷ｂ
従って、精度の良い調整を行うにはピーク増幅器２ｂの利得を微細に調整する必要があった。また設定後、ピーク増幅器２ｂの利得可変手段として抵抗器等を使用すると、経年変化によって設定値が変動し、調整利得が変化して、精度良く地肌を飛ばすことが出来なくなる等の不具合があったこと、上述した通りである。
【００１５】
本実施例は、ピーク検出手段２の利得可変手段を不要として無調整化を図り、高精度に地肌を飛ばすことが出来る画像処理装置を提供するものである。
図１は本発明の一実施例を示す画像処理装置の要部のブロック図であって、先に示した図２乃至図６及び、図７、図８を参照しながら、本発明を詳細に説明する。
先ず、図１に示した画像処理装置の構成を簡単に説明すれば、符号１は読取り部であって、CCD 等の読取り素子１a と、サンプルホールド回路１ｂと、利得可変増幅器１ｃと、ゼロクランプ回路１d を備えている。また２はピーク検出手段であり、ピークホールド回路２a と、ピーク増幅器２b とを備えている。更に、３は比較出力手段、４は黒レベル検出手段、５はノイズ制御手段、６は比較出力補正手段、７は選択回路、８はゲート発生回路、９は利得制御回路、１０はCPU 、１１はシェーディング補正回路である。
【００１６】
この構成において基本的動作を説明する。原稿画像や基準白版２３は読取手段１で読み取られ、比較出力手段３の入力の一端Ｖｉｎに伝達される。一方、比較出力手段３は、比較基準値の入力端Ｖｒｅｆに基準となる値が入力され、上記Vin に入力する値との差がデジタル的に出力される。即ち、比較出力手段３はＡ／Ｄコンバータの機能をも持っている。読取手段１は、ＣＣＤ等の読み取り素子１ａと、読み取り素子１ａからの出力をサンプリングして保持するサンプルホールド回路１ｂと、利得可変読取増幅器１ｃと、黒（ゼロ）レベルの基準を作り出すゼロクランプ回路１ｄから構成されている。また、地肌除去機能の達成のために、読取手段１の出力の一部はピーク検出手段２に伝達され、このピーク検出手段２では入力される信号のピーク値が検出される。選択回路７でピーク検出手段２の出力が選択されると、選択回路７の出力端Ｑを経て、上記比較出力手段３の比較基準入力端Ｖｒｅｆに伝達される。ピーク検出手段２はピーク値を保持記憶するピークホールド（Ｐ／Ｈ）回路２ａと、所定の利得を持ったピーク増幅器２ｂを含んでいる。従来は、上記の図６で説明したように、ａ´÷ｂ´＝ａ÷ｂとなるようにピーク増幅器２ｂの利得可変器を調整していたが、本実施例では、以下に述べるように、ピーク増幅器２ｂの利得可変器を不要にしたものである。
【００１７】
図７の地肌除去機能の動作時のタイミング図と合わせて説明すると、光学系がホームポジッションから移動を開始し、基準白板２３上に来ると、ゲート発生回路８から選択回路７のS1端子に供給される基準白板２３の読み取りを有効とするＷＴＧＴゲート信号がイネーブルとなり、同時にゲート発生回路８からAGC 回路９に供給されるAGC 信号もイネーブルとなり、読取増幅器１ｃの利得を制御する利得制御（ＡＧＣ）回路９を起動する。選択回路７はＷＴＧＴゲートが開くと、入力端Ａに入力する信号が選択され、同時にＶｒｅｆ０が与えられるようになっている。このとき、基準白板２３を読み取った最大出力値が図４のＶｐ０になるように、利得制御（ＡＧＣ）回路９から読取増幅器１ｃの利得を制御するＤ−ＡＧＣ１を与え、ＡＧＣＧＴゲートを閉じる。この動作により光源２５の光源自身によるバラツキや、温度、経時変化によるバラツキ、読み取り素子１ａの感度のバラツキを補正している。
【００１８】
次に、地肌除去機能を有効にするＡＥＭＯＤＯゲートと、シェーディングデータの作成期間に当るＳＨＧＴゲートを開き、シェーディングデータを生成する。その際、原稿の地肌検知と同じ様に基準白板２３の読取手段１の出力を、ピークホールド（Ｐ／Ｈ）回路２ａとピーク増幅器２ｂから構成されるピーク検出手段２に導き、ピーク値を検出して比較出力手段３の比較基準入力端Ｖｒｅｆに入力する。その際、選択回路７の出力端Ｑは入力端Ｃが選択されるように制御されている。図７のＳＥＬ−Ｑは選択回路７の出力端Ｑの出力状態を示している。なお、上記の処理を行うために地肌検知期間を表すＰＷＩＮＤゲートを、図３に示す地肌を検知する斜線範囲２２ａに相当する期間イネーブルにしておく必要があることは云うまでもない。
【００１９】
このように、基準白板２３に基づいてシェーディングデータの生成を終了すると、ＷＴＧＴゲートとＳＨＧＴゲートを閉じる。続いて、光学系が移動し、原稿２２上に来ると、副走査方向画像有効期間、即ち、原稿２２の読み取り期間を表すＦＧＡＴＥゲートを開き、ピーク検出手段２を起動して原稿の地肌検知を行う。上記のようにシェーディングデータを生成する際、及び原稿２２の読み取り期間の地肌検知においても、同様にピーク値を検出し、比較出力手段３の比較基準入力端Ｖｒｅｆに入力するので、ピーク検出手段２のピーク増幅器２ｂが経年変化等により利得変化が発生した場合であっても、その影響を除去することが出来る。更に、ピーク増幅器２ｂの利得の調整も不要となり、作業効率を向上することができる。
【００２０】
次に、理論的考察を加える。前提条件として、上記比較出力手段３は入力端Ｖｉｎに入力した値が、０から２５５迄のディジタル値に変換されて出力されるものとする。従って、入力値Ｖｉｎがリファレンス値Ｖｒｅｆに等しいか、それ以上の場合は、比較出力手段３の出力値は全て２５５となる。今、ＤＧ を原稿の読み取りデータ、ＤＳＨをシェーディングデータとすると、画像の読み取りはシェーディングデータとの相対値として濃度を表すことになるので、画像データＧＤは、
ＧＤ＝（ＤＧ ÷ＤＳＨ）×２５５ ……………（１）
で示され、シェーディング補正される。地肌除去機能が非動作時には、原稿読み取りは、ＶＧ を原稿読み取り時の比較出力手段３の入力端Ｖｉｎの値、ｖＧ をＣＣＤ等の読み取り素子１ａの出力値、ＶＲＥＦ１を比較出力手段３の比較基準入力端Ｖｒｅｆに入力する値、ＡＶ０をＧＣＡ増幅器１ｃの利得とすると、比較出力手段３の働きによって、
ＤＧ ＝ＩＮＴ〔（ＶＧ ÷ＶＲＥＦ１）×２５５〕
＝ＩＮＴ〔（ｖＧ ×ＡＶ０÷ＶＲＥＦ１）×２５５〕 …………（２）
となる。ここで、ＩＮＴ〔 〕は最大２５５迄の計算式の整数部を示す。同様に
、基準白板２３の読み取り時には、
ＤＳＨ＝ＩＮＴ〔（ＶＳＨ÷ＶＲＥＦ０）×２５５〕
＝ＩＮＴ〔（ｖＳＨ×ＡＶ０÷ＶＲＥＦ０）×２５５〕 ………（３）
となり、ＩＮＴ〔 〕は比較出力手段３でＡ／Ｄ変換する時の量子化を意味して
いるのみであるので省略し、（２）、（３）式を（１）式に代入すると、
ＧＤ＝（ＤＧ ÷ＤＳＨ）×２５５
＝〔（ｖＧ ÷ＶＲＥＦ１）÷（ｖＳＨ÷ＶＲＥＦ０）〕×２５５ ……（４）
となる。なお、（ｖＳＨ÷ＶＲＥＦ０）は原稿読み取りのダイナミックレンジを決めるものである。その最低濃度（最高反射率）となる読み取りデータに添字Ｎ を付けると、
（ｖＧＮ÷ＶＲＥＦ１）＝（ｖＳＨ÷ＶＲＥＦ０） ……………（５）
が成立するように比較出力手段３の比較基準入力値ＶＲＥＦ０を決めているので（４）式は、
ＧＤ＝（ｖＧ ÷ｖＧＮ）×２５５ …………………………（６）
が成立し、原稿濃度の相対値として比較出力手段３からの画像データが生成されることが判る。
【００２１】
従来の地肌除去機能動作方法は、原稿読み取り時のみ選択回路７の入力端Ｃ、即ち、ピーク検出手段２のピーク値が選択されるので、その比較基準入力値をＶＲＥＦ−ＡＥとすると、
ＤＡＥ−Ｇ＝ＩＮＴ〔（ＶＧ ÷ＶＲＥＦ−ＡＥ）×２５５〕 ………（７）
となる。ここで、図１から判る通り、ＶＲＥＦ−ＡＥは読取手段１の出力がピーク検出手段２を通過したものであるから、原稿地肌部の画像データ最高値をＶＧＪとし、ピーク増幅器２ｂの利得をＡＶ１とすると、
ＤＡＥ−Ｇ＝ＩＮＴ〔（ＶＧ ×２５５）÷（ＶＧＪ×ＡＶ１）〕
＝ＩＮＴ〔（ｖＧ ×ＡＶ０×２５５）÷（ｖＧＪ×ＡＶ０×ＡＶ１）〕
＝ＩＮＴ〔（ｖＧ ×２５５）÷（ｖＧＪ×ＡＶ１）〕 ……（８）
となり、（１）式、（８）式から、
ＧＤＡＥ÷２５５＝ＤＡＥ−Ｇ÷ＤＳＨ
＝〔ｖＧ ÷( ｖＧＪ×ＡＶ０×ＡＶ１）〕÷（ｖＳＨ÷ＶＲＥＦ０）……（９）
となる。ここで、基準白板２３の読み取り時も比較出力手段３の比較基準入力端の値をピーク検出手段２のピーク値として求められる。即ち、（９）式のＶＲＥＦ０は、選択回路７の入力端Ｃが選択されている原稿読み取り時のピーク検出手段２を通過したＶＲＥＦ−ＡＥに対応したように、基準白板２３の読み取り出力がピーク検出手段２を通過したものであるので、
ＶＲＥＦ０＝ｖＳＨ×ＡＶ０×ＡＶ１  ……………………………（１０）
となる。これを（９）式に代入すると
ＧＤＡＥ＝（ｖＧ ÷ｖＧＪ）×２５５ …………………………（１１）
が得られ、ピーク検出手段２の増幅器２ｂの利得ＡＶ１に左右されることなく、地肌を飛ばすことが出来る。
【００２２】
一般に、地肌検出を行うピーク検出手段２におけるピークホールド回路２ａは
１．ノイズや、原稿上の小さな点の明るさの影響を小さくする。
２．比較的大きな黒べたの画像が存在してもピーク値に影響を及ぼさない。
等が要求されるので、大きな時定数（図１ではτ0 ＝Ｒ１×Ｃ１）を持たせている。しかし、コストの問題や、画像処理装置の読み取り処理能力の向上から、基準白板２３の副走査方向の幅は出来るだけ短くする必要があるため、基準白板２３のピーク検出時には時定数をより短くするのが得策である。
【００２３】
ここで、シェーディングデータの生成の方法を検討すると、基準白板２３の読み取りデータを上述した方法により、比較出力手段３によってデジタル化したデータＤG0を得る。このデータＤG0には、ＣＣＤの暗電流からなるゼロレベルのバラツキを含んでおり、これを除去するために、黒オフセットレベル値のデータＤOPB （図５のＶOPB の比較出力手段３の出力値）を黒レベル検知手段４で検知し、比較出力手段３の出力値ＤG0からデータＤOPB を減算するようになっている。地肌除去機能の非動作時は、データＤG0よりＤOPB を比較出力補正手段６で減算してシェーディングデータＤ´G0を生成すれば良いが、地肌除去機能の動作時では地肌を飛ばすことが目的であるためこれだけでは不十分である。前の（１１）式から地肌部の濃度が分母になっているので、地肌部を読んだ時のデータＧＤAEJ は
0003893162.tif 000002
となる。しかし、実際の画像データにはノイズ分ｖN が含まれているため、
0003893162.tif 000003
となる。そこで、本発明では、地肌除去機能の動作時はノイズ分ｖN を抑制するような出力補正値ＤOFF 分シェーディングデータを小さくして、ノイズ分ｖN がデータとして表れないようにしている。即ち、
0003893162.tif 000004
が成立すれば、例え地肌部のデータにノイズ分ｖN が含まれていても、常にＧＤAEJ は２５５を出力することになり、ノイズ分ｖN の画像データへの影響を除去することができる。従って、図１のように本発明では上述したようにＤOFF をＣＰＵ１０に接続するノイズ抑制手段５から出力させる構成になっている。
【００２４】
一般的な値としては、地肌除去時のみＤOFF を５程度とし、その他の場合は０をセットしている。このように、比較出力手段３でデジタル化したデータＤG0から、黒レベル検知手段４で検知した黒オフセットレベル値のデータＤOPB と、ノイズ抑制手段５の出力値ＤOFF を、比較出力補正手段６で減算してシェーディングデータＤ´G0を生成し、その後、シェーディング補正回路１１にてシェーディングデータを生成する。
【００２５】
上記の説明では、（１３）式のように出力補正値ＤOFF だけシェーディングデータを小さくすることによって、ノイズ分ｖn がデータに表れないようにする方法を述べたが、逆に、地肌部を読み取った時のデータにノイズ分ｖn を加える方法も可能である。その際、上記（１３）式を、
ＧＤAEJ ＝ＩＮＴ〔（ＤGJ＋ＤOFF ）÷ＤAE-SH ×２５５〕…（１４）
と変形すれば、ノイズ分ｖn が地肌部読み取り中に発生して、
ＧＤAEJ
＝ＩＮＴ〔（ＤGJ＋ＤOFF-ＤN ）÷ＤAE-SH ×２５５〕……（１５）
となっても、ＤN ＜ＤOFF  が成立すれば、地肌部のデータにノイズ分ｖN が含まれていても、常にＧＤAEJ は２５５を出力することになり、ノイズ分ｖN が画像データに出力されず、（１３）式で述べた場合と同様の効果が得られる。
【００２６】
図８は シェーディング補正回路１１の一構成例を示す図であり、この例では、比較出力補正手段６で減算されたデータをＤ´G とすると、ＳＨＧＴゲートが開いている期間に、主走査一画素毎に平均値を平均値回路１１ａで計算し、そのデータを先入れ先出し（ＦＩＦＯ）回路１１ｂに全て蓄積する。その後、読み取ったデータと対応する先入れ先出し回路１１ｂのデータとの一対がＲＯＭ１１ｃのアドレスに入力し、あらかじめＲＯＭ１１ｃに書き込まれた計算結果を出力することにより、シェーディング動作を行っている。なお、ＲＯＭ１１ｃには，
ＧＤ＝ＩＮＴ〔（Ｄ´G÷ＤSH）×２５５〕
の計算結果が入力されており、シェーディングデータを生成するとＷＴＧＴゲートとＳＨＧＴゲートを閉じる。しかし、この状態では図１の構成からも明らかなように、ピークホールド回路２ａのコンデンサＣ１は充電されたままであるので、原稿２２の地肌が基準白版２３より濃度的に暗い場合は、原稿２２の地肌濃度を正確に検知することが出来ない。そこで、図７のように、原稿２２の読み取り前（ＦＧＡＴＥゲートが開く前）に、一度ＡＥＭＯＤＯゲートを閉じて、ＳＷ１を閉じ、コンデンサＣ１の電荷を放電させている。放電が終了すると、ＡＥＭＯＤＯゲートを再び開き、光学系が原稿２２の読み取りが出来る位置迄移動するのを待って、ＦＧＡＴＥゲートを開き原稿２２の読み取りを開始する。原稿２２の読み取り範囲が終了すると、ＦＧＡＴＥゲートを閉じ、地肌検知期間を表すＰＷＩＮＤゲートを閉じ、読取増幅器１ｃの利得Ｄ−ＡＧＣを所定の値に戻す。その後、ＡＥＭＯＤＯゲートを閉じ、ピークホールド回路２ａのコンデンサＣ１の電荷を放電すると共に、選択回路７の出力を、ピーク検出手段２の出力である入力端Ｃから、通常の入力端Ｂに戻し読み取り動作を終了する。
【００２７】
【発明の効果】
以上説明したように本発明によれば、基準白板を読んでシェーディングデータを生成する際も地肌濃度を検出する際にもそのピーク値を基準電圧としてＡ／Ｄ変換手段に印加し、Ａ／Ｄ出力の補正手段の出力が所定値になるように、読取手段により読み取られた信号のレベルを増幅する増幅手段の可変利得を制御するので、地肌濃度検出部の増幅器の利得調整の面倒さを除去することができ、また、Ａ／Ｄ変換手段の出力から黒オフセットレベル値と地肌データのノイズ分を抑制する値を加減算するので、地肌濃度検出時にノイズがあってもその影響を除去することができる。
【００２８】
また、基準白板を読み取る時にＡ／Ｄ変換手段の出力から黒レベル検知手段の出力とノイズ抑制手段の出力を減算することによりシェ−ディングデ−タを作成するので、シェーディングデータ値からノイズ分に相当する値を前以て減算することによって、地肌検出時のデータにノイズ分が含まれていても、その影響を受けることなく地肌を正しく検出可能となる。
【００２９】
また、原稿の地肌を読み取る時にＡ／Ｄ変換手段の出力から黒レベル検知手段の出力を減算し、ノイズ抑制手段の出力を加算するので、地肌検出時のデータにノイズ分が重畳し出力が減少しても、地肌濃度検出時の地肌データ値はノイズ分の影響を受けることはない。
【図面の簡単な説明】
【図１】本発明の一実施例を示す画像処理装置の要部のブロック図である。
【図２】本発明を適用する画像処理装置の読み取り部の一例を示す要部構成図である。
【図３】本発明の実施例を説明するための、画像処理装置の原稿台上に載置した原稿の地肌読み取り部を示す図である。
【図４】本発明の実施例の動作を説明するための図であって、画像処理装置の基準白板読み取り時の信号波形図である。
【図５】本発明の実施例の動作を説明するための図であって、画像処理装置の基準白板読み取り時の信号波形図である。
【図６】本発明の実施例の動作を説明するための図であって、画像処理装置の原稿の地肌部の読み取り時の信号波形図である。
【図７】本発明の実施例の動作を説明するための図であって、画像処理装置の読み取りにおける要部のタイミングチャート図である。
【図８】本発明の一実施例を示す画像処理装置のシェーディング補正回路の要部のブロック図である。
【符号の説明】
１・・・読取手段、１ａ・・・読み取り素子、１ｂ・・・サンプルホールド回路、１ｃ・・・読取増幅器、１ｄ・・・ゼロクランプ回路、２・・・ピーク検出手段、２ａ・・・ピークホールド回路、２ｂ・・・ピーク増幅器、３・・・比較出力手段、４・・・黒レベル検知手段、５・・・ノイズ抑制手段、６・・・比較出力補正手段、７・・・選択回路、８・・・ゲート発生回路、９・・・利得制御回路。１０・・・ＣＰＵ、１１・・シェーディング補正回路、１１ａ・・・平均値回路、１１ｂ・・・先入れ先出し回路、１１ｃ・・ＲＯＭ、２１・・・コンタクトガラス、２２・・・原稿、２３・・・基準白板、２４・・・主走査方向スケール、２５・・・光源、２６・・・第一ミラー、２７・・・第二ミラー、２８・・・第三ミラー、２９・・・レンズ、３０・・・副走査方向スケール。
【図１】
0003893162.tif 000005
【図２】
0003893162.tif 000006
【図３】
0003893162.tif 000007
【図４】
0003893162.tif 000008
【図５】
0003893162.tif 000009
【図６】
0003893162.tif 000010
【図７】
0003893162.tif 000011
【図８】
0003893162.tif 000012